(57)【要約】【課題】例えば、携帯電話をパーソナルアミューズメント機器として使用可能な携帯電話の画像表示装置を提供する。【解決手段】携帯電話１１を所定位置に保持する保持手段１２と、携帯電話１１の表示面１３の表面側に配置され、一側にある携帯電話１１の画像を他側の空間に実像として表示する空中像表示手段１４と、空中像表示手段１４及び保持手段１２を所定の位置関係に保持する筐体１５とを有する。【選択図】図１
0003221631.tif 000002
【実用新案登録請求の範囲】
【請求項１】
携帯電話を所定位置に保持する保持手段と、前記携帯電話の表示面の表面側に配置され、一側にある前記携帯電話の画像を他側の空間に実像として表示する空中像表示手段と、該空中像表示手段及び前記保持手段を所定の位置関係に保持する筐体とを有することを特徴とする携帯電話の画像表示装置。
【請求項２】
請求項１記載の携帯電話の画像表示装置において、前記携帯電話は前記保持手段にスライド可能に装着されていることを特徴とする携帯電話の画像表示装置。
【請求項３】
請求項１又は２記載の携帯電話の画像表示装置において、前記空中像表示手段は、片面又は両面に光反射面を有する帯状の光反射部が隙間を有して平行に配置された第１、第２の光制御部材を、平面視して前記第１、第２の光制御部材の光反射部が直交するようにして重ねて配置して形成されていることを特徴とする携帯電話の画像表示装置。
【請求項４】
請求項１〜３のいずれか１項に記載の携帯電話の画像表示装置において、前記筐体は前記保持手段に水平に保持された前記携帯電話に対して前側に３０〜６０度の傾斜角で前記空中像表示手段を保持する窓部が設けられた球体部と、該球体部の下部に設けられている円錐台状の載置台部とを有していることを特徴とする携帯電話の画像表示装置。
【請求項５】
請求項４記載の携帯電話の画像表示装置において、前記球体部内で前記保持手段の下部には、該保持手段に搭載した前記携帯電話をその場保持する高さ調整機構が設けられていることを特徴とする携帯電話の画像表示装置。
【請求項６】
請求項１〜５のいずれか１項に記載の携帯電話の画像表示装置において、前記携帯電話の上には、該携帯電話の画像を拡大するレンズが当接して、又は、隙間を有して配置されていることを特徴とする携帯電話の画像表示装置。
【請求項７】
請求項１〜６のいずれか１項に記載の携帯電話の画像表示装置において、前記空中像表示手段の幅は、前記携帯電話の幅の０．８〜１．３倍の範囲にあることを特徴とする携帯電話の画像表示装置。
【考案の詳細な説明】
【技術分野】
【０００１】
本考案は、携帯電話（特に、スマートフォン）に表示された画像を空間に表示する携帯電話の画像表示装置に関する。
【背景技術】
【０００２】
従来、通話機能、カメラ機能、インターネット閲覧機能、ＳＭＳ機能、ゲーム機能、カレンダー機能等の各種機能を備え、これらの画像をディスプレイ（表示面）に表示する携帯電話が種々開発されている（例えば、特許文献１参照）。
【先行技術文献】
【特許文献】
【０００３】
【特許文献１】特開２００３−１６９２８７号公報
【特許文献２】特許第５０３６８９８号
【考案の概要】
【考案が解決しようとする課題】
【０００４】
上記した携帯電話を操作してディスプレイに表示された画像は斜視できるので、他人が容易にディスプレイの表示画像を覗き見できるという問題があった。
一方、特許文献２には、透明平板の内部に、間隔を有して立設された帯状の平面光反射部を有する第１、第２の光制御パネルを、それぞれの平面光反射部が平面視して直交するように重ね合わせた光学結像装置を用い、この光学結像装置の一方側に配置された画像を他方側の空間に表示する技術が開示されている。
しかし、特許文献２には、光学結像装置を携帯電話と組み合わせることについての記載はなく、単に携帯電話を光学結像装置の一方側に配置しても、画像の位置は安定しないので、ゲーム等はできないという問題があった。
【０００５】
本考案はかかる事情に鑑みてなされたもので、例えば、携帯電話をパーソナル（自分だけの）アミューズメント機器として使用可能な携帯電話の画像表示装置を提供することを目的とする。
【課題を解決するための手段】
【０００６】
前記目的に沿う本考案に係る携帯電話の画像表示装置は、携帯電話を所定位置に保持する保持手段と、前記携帯電話の表示面の表面側に配置され、一側にある前記携帯電話の画像を他側の空間に実像として表示する空中像表示手段と、該空中像表示手段及び前記保持手段を所定の位置関係に保持する筐体とを有する。
【０００７】
本考案に係る携帯電話の画像表示装置において、前記携帯電話は前記保持手段にスライド可能に装着されていることが好ましい。
【０００８】
本考案に係る携帯電話の画像表示装置において、前記空中像表示手段は、片面又は両面に光反射面を有する帯状の光反射部が隙間を有して平行に配置された第１、第２の光制御部材を、平面視して前記第１、第２の光制御部材の光反射部が直交するようにして重ねて配置して形成することができる。
【０００９】
本考案に係る携帯電話の画像表示装置において、前記筐体は前記保持手段に水平に保持された前記携帯電話に対して前側に３０〜６０度の傾斜角で前記空中像表示手段を保持する窓部が設けられた球体部と、該球体部の下部に設けられている円錐台状の載置台部とを有することができる。
ここで、前記球体部内で前記保持手段の下部には、該保持手段に搭載した前記携帯電話をその場保持する高さ調整機構が設けられているのがよい。
【００１０】
本考案に係る携帯電話の画像表示装置において、前記携帯電話の上には、該携帯電話の画像を拡大するレンズが当接して、又は、隙間を有して配置されているのがよい。
【考案の効果】
【００１１】
本考案に係る携帯電話の画像表示装置は、携帯電話を所定位置に保持する保持手段と、携帯電話の画像を空間に実像として表示する空中像表示手段と、空中像表示手段及び保持手段を所定の位置関係に保持する筐体を有するので、簡単な構成で、例えば、携帯電話をパーソナルアミューズメント機器として使用できる。即ち、空中像表示手段を介して携帯電話の表示面の画像が結像される領域が空中像表示手段の大きさに応じて変わるので、空中像表示手段の大きさを適切に選択することにより、第三者による覗き見を防止できる。
ここで、携帯電話は、例えば、音声を含む音を発生することができ、更に、音声入力によりデータ及び画像の操作ができるので、外部からキーボード無しで画像や音声を制御できる。なお、携帯電話は、Ｂｌｕｅｔｏｏｔｈ（登録商標）等を用いた無線通信（遠隔操作）も可能である。
【図面の簡単な説明】
【００１２】
【図１】（Ａ）、（Ｂ）は本考案の一実施の形態に係る携帯電話の画像表示装置の使用状態を示す斜視図である。
【図２】同携帯電話の画像表示装置の正面図である。
【図３】（Ａ）は携帯電話装着時の同携帯電話の画像表示装置の側断面図、（Ｂ）は携帯電話を取外した状態の同携帯電話の画像表示装置の側断面図である。
【図４】同携帯電話の画像表示装置に用いる空中像表示手段の一例を示す斜視図である。
【図５】（Ａ）、（Ｂ）はそれぞれ同携帯電話の画像表示装置に用いる空中像表示手段の別の例を示す正断面図及び側断面図である。
【考案を実施するための形態】
【００１３】
続いて、添付した図面を参照しつつ、本考案を具体化した実施の形態につき説明し、本考案の理解に供する。
図１〜図３に示すように、本考案の一実施の形態に係る携帯電話の画像表示装置（以下、単に画像表示装置とも記載）１０は、携帯電話１１を所定位置に保持する保持手段１２と、携帯電話１１のディスプレイ（表示面の一例）１３の表面側に配置され、ディスプレイ１３に表示された画像を空間に実像として表示する空中像表示手段１４と、空中像表示手段１４及び保持手段１２を所定の位置関係に保持する筐体１５とを有している。
以下、詳しく説明する。
【００１４】
携帯電話１１は、通話機能、カメラ機能、音声認識機能、インターネット閲覧機能、ＳＭＳ機能、ゲーム機能、カレンダー機能等の各種機能を備え、これらの画像をディスプレイ１３（カラーでも白黒でもよい）に表示するスマートフォンである。なお、携帯電話は、画像が表示面に表示可能なものであれば、特に限定されるものではなく、例えば、スマートフォンより表示面が大きなタブレット等でもよく、また、上記した機能の一部を備えたフィーチャーフォン等でもよい。更に、携帯電話が備える各種機能は、上記した機能に限定されるものではなく、例えば、テレビ機能等もある。
これにより、携帯電話１１のディスプレイ１３には、使用する上記した機能に応じて、写真等の静止画や動画、また、検索サイト等が表示される。
【００１５】
図１〜図３に示すように、筐体１５は、内部が空洞となった球体部１６と、この球体部１６の下部に設けられている円錐台状の載置台部１７とを有している。
この筐体１５（球体部１６と載置台部１７）はプラスチック製であるが、金属製（マグネシウム合金等）でもよい。なお、筐体は、少なくともその外側表面にめっき層（金属めっき被膜）を形成することや、カラー塗装を施すことが好ましいが、そのままの状態（表面が露出した状態）でもよい。
球体部１６は、載置台部１７の上部に形成された凹部１８（球体部１６の下部に対応した形状）に嵌入配置され、球体部１６と載置台部１７とが分離可能な状態となっている。これにより、載置台部１７に対して球体部１６を動かすことで、空中像表示手段１４の位置を調整できるが、球体部を載置台部に取付け固定して一体化することもできる。
【００１６】
球体部１６には、空中像表示手段１４を保持する窓部１９が設けられている。また、球体部１６には、保持手段１２が、その一部が球体部１６の前側側部に形成された開口部２０を介して球体部１６の外部へ向けて突出状態で、取り付けられている（球体部内のみに取り付けてもよい）。なお、窓部１９は、円形に開口しているが、これは円形の空中像表示手段１４の形状に対応させたためであり、空中像表示手段の形状に応じて、例えば、楕円形、卵型、多角形（正方形や長方形等）にできる。更に、窓部１９の大きさ、即ち、空中像表示手段１４の大きさ（幅）は、球体部１６の外径の５０〜８０%、又は、携帯電話１１の幅の０．８〜１．３倍とするのが好ましい。
保持手段１２は、球体部１６の内側両側部に設けられた補助部材２１により、所定の高さ位置（ここでは、球体部１６の高さ方向の中央領域）に水平状態で取付け固定された２つの支持部２２と、この支持部２２に昇降可能に載置された昇降板２３を有している。
【００１７】
球体部１６内で昇降板２３の下部には、昇降板２３上の装着板２４に搭載した携帯電話１１をその場保持する高さ調整機構２５が設けられている。この高さ調整機構２５は、複数本の雄ねじ部２６と、この雄ねじ部２６の少なくとも先側（ここでは上側）に螺合する雌ねじ部２７とを有している。
雄ねじ部２６は、その軸心を鉛直方向に合わせ、球体部１６の下部に貫通状態で設けられている。また、雌ねじ部２７は、その軸心を鉛直方向に合わせて昇降板２３の下部に設けられ、しかも、支持部２２の下方に突出した状態で設けられている。
これにより、球体部１６の外部（下方）から雄ねじ部２６の基部（ここでは下部）を回すことで、支持部２２に対する昇降板２３と装着板２４の高さ位置を調整し維持できる。
【００１８】
保持手段１２（昇降板２３）の上には、携帯電話１１を搭載する装着板２４がスライド（摺動）可能に配置されている。
この装着板２４の下部であって、幅方向中央部には、スライド方向に沿って凸部２８が設けられている。この凸部２８は、昇降板２３の上部に形成されたガイド溝２９にスライド可能に嵌入するため、球体部１６内への携帯電話１１の挿入と、球体部１６内からの携帯電話１１の取出しを、スムーズに実施できる。
なお、球体部１６内へ携帯電話１１を挿入した後は、昇降板２３の先部（球体部１６からの突出部分）に設けられた位置決め雄ねじ３０を回し、装着板２４の先部に形成された雌ねじ３１に螺合させることで、昇降板２３に対する装着板２４の位置決めができる。
【００１９】
球体部１６の大きさは、携帯電話１１のディスプレイ１３（全部がよいが大部分（８０％以上）でもよい）を内部に配置できれば、特に限定されるものではないが、例えば、外径が７０〜４００ｍｍ（好ましくは、下限が１００ｍｍ、更には１２０ｍｍ、上限が２００ｍｍ、更には１８０ｍｍ）である。
この球体部１６に設けられた窓部１９は、保持手段１２（支持部２２や昇降板２３）によって水平に保持された携帯電話１１に対して、前側に傾斜角度θ、例えば、３０〜６０度（ここでは４５度）で、空中像表示手段１４を保持している。
このように、筐体１５（球体部１６）に、空中像表示手段１４と保持手段１２を所定の位置関係となるように保持することで、球体部１６の内側（一側：内部）にある携帯電話１１の画像を、球体部１６の外側（他側）の空間に実像として表示できる。
【００２０】
なお、画像表示装置１０の使用にあっては、図３（Ａ）、（Ｂ）に示すように、球体部１６の奥側側部に形成された開口部３２から、電源ケーブル３３を挿入して、携帯電話１１に接続することで、携帯電話１１への電力を供給（充電）できるが、携帯電話１１に電力を供給できれば、この構成に限定されるものではない（なお、場合によっては電力を供給しない構成にもできる）。
例えば、携帯電話に設けられた電源ケーブルの装着位置に応じて、球体部に予め開口部を形成し、常時は栓部材等で塞いでおくこともでき、また、携帯電話を搭載する装着板に開口部を形成することもできる。更には、無線（ワイヤレス）により充電することもできる。この無線による充電は、例えば、載置台（又は、保持手段）に充電手段を設けた構成とするのがよい。
【００２１】
上記した球体部１６の窓部１９には、空中像表示手段１４が取付け固定されている。
この空中像表示手段１４には、例えば、ＰＣＴ／ＪＰ２００９／０５７９３４（国際公開番号ＷＯ２００９／１３１１２８）に記載の光学結像装置を使用できるため、以下簡単に説明する。
光学結像装置は、図４に示すように、２枚の透明平板の内部に、透明平板の厚み方向に渡って垂直に多数かつ帯状で、光反射面を有する光反射部（平面光反射部）４０、４１を一定のピッチで平行に並べて形成した第１の光制御パネル（第１の光制御部材の一例）４２及び第２の光制御パネル（第２の光制御部材の一例）４３を用い、この光制御パネル４２、４３のそれぞれの一面側を、平面視して光反射部４０、４１が直交するように向かい合わせて密着させている（重ねて配置して形成されている）。
なお、光反射面は光反射部の片面又は両面のいずれに形成されてもよい。
【００２２】
これにより、光学結像装置の光制御パネル４２の一方側（光制御パネル４３との非当接側）に配置した物体Ｎから放射された光が光制御パネル４２の一方側の面に斜めに入射すると、入射した光は光制御パネル４２内に進入し光反射部４０の光反射面のｃ点で反射される。そして、光反射部４０で反射された反射光は、光制御パネル４２の他方側の面から光制御パネル４３の一方側（光制御パネル４２との当接側）の面を通過して光制御パネル４３内に進入する。ここで、光制御パネル４３内に進入した光のなかで、一部の光は光制御パネル４３の光反射部４１の光反射面のｄ点で反射されて更に光制御パネル４３内を進行し、光制御パネル４３内の他方側の面から外部に放出される。また、残部の光の一部は、光制御パネル４３内を進行して光制御パネル４３の他方側の面から外部に放出される。
【００２３】
ここで、光制御パネル４２、４３は、光反射部４０、４１が、平面視して直交するように向かい合わせた状態で配置されているため、光制御パネル４３内を進行して光制御パネル４３の他方側の面から外部に放出される光のなかで、光反射部４０に入射した入射光が光反射部４０のｃ点で１回目の反射をしてその反射光が光反射部４１のｄ点で２回目の反射を起こす。このため、物体Ｎから光学結像装置に入射した光のなかで、光反射部４０、４１で連続して反射した反射光は、光学結像装置を挟んで物体Ｎと対称位置に収束し、物体像（実像）Ｎ´が生成する。なお、光制御パネル４２、４３の光反射部４０、４１は平面視して直交しているが、光学結像装置の周囲輪郭に対して４０〜５０度傾斜している（以下の例においても同じ）。
【００２４】
なお、この光学結像装置では、光反射部４０、４１が金属被膜からなる光反射面を有するので、光反射部４０、４１の光反射面で反射する光の入射角度に制限がなく光の反射角が任意となる。このため、「物質の全反射」の原理を用いた光反射面より広範囲の角度で結像できる。
【００２５】
また、空中像表示手段１４には、図５（Ａ）、（Ｂ）に示す立体像結像手段を用いることもできる。
立体像結像手段は、隙間を有して平行に並んで配置（立設）された帯状の多数の光反射部５０をそれぞれ有する第１の光制御パネル（第１の光制御部材の一例）５１と第２の光制御パネル（第２の光制御部材の一例）５１ａを、第１の光制御パネル５１の光反射部５０と第２の光制御パネル５１ａの光反射部５０とが平面視して直交（交差の一例であり、例えば、８８〜９２度の範囲で交差させてもよい）した状態で重ね合わせて配置したものである（例えば、ＰＣＴ／ＪＰ２０１７／１２６２２参照）。なお、第１、第２の光制御パネル５１、５１ａは同一の構成を有しているので、その構成要素には同一の番号を付与する。
【００２６】
第１の光制御パネル５１（第２の光制御パネル５１ａも同様）は、透明平板５２の片側に（第１の光制御パネル５１では上部に、第２の光制御パネル５１ａでは下部に）、垂直面５３及び傾斜面５４を有する断面三角形の溝５５と、この溝５５間に形成される断面三角形の凸条５６を備えている。第１、第２の光制御パネル５１、５１ａの溝５５及び凸条５６はそれぞれ一定のピッチで平行に多数設けられている。
溝５５の垂直面５３には、鏡面処理がなされて、即ち、光反射部５０となる金属反射膜（金属被膜）が形成されており、金属反射膜の片面が垂直光反射面（鏡面：以下、単に光反射面とも記載）となっている。
一方、傾斜面５４は、非光反射面であって光透過面とするのが好ましい。
【００２７】
溝５５の内部には、透明樹脂５８が充填され、充填面５９はそれぞれ第１、第２の光制御パネル５１、５１ａの光反射部５０が形成されていない側の表面６０と平行となっている。
この第１、第２の光制御パネル５１、５２ａは、それぞれの光反射部５０（光反射面）を平面視して直交させた状態で、当接、又は、近接させて重ねて配置されている。また、第１、第２の光制御パネル５１、５１ａは、例えば、透明な接着剤（樹脂）を介して接合され、一体化されていてもよい。
【００２８】
これにより、立体像結像手段の一側（左下側）から斜めに入光した画像からの光Ｌ１、Ｌ２は、下側の第１の光制御パネル５１の光反射面のＰ１、Ｐ２で反射し、更に上側の第２の光制御パネル５１ａの光反射面のＱ１、Ｑ２で再反射して、立体像結像手段の他側（右上側）に実像を形成できる。
なお、ここでは、鏡面処理によって垂直面５３に形成された金属反射膜（光反射部５０）の裏側（図５では左側）を第１、第２の光制御パネル５１、５１ａの光反射面として使用したが、金属反射膜の表側（図５では右側）を光反射面として使用することもできる。即ち、光反射部５０は両面に光反射面を有する。
【００２９】
なお、空中像表示手段１４は、画像の実像を形成できれば、上記した構成に限定されるものではない。
また、空中像表示手段１４は、第１、第２の光制御部材を別々に製造して、これらを重ね合わせて形成したが、例えば、透明平板の表裏面に帯状の光反射部を隙間を有して平行に形成して、第１、第２の光制御部材を一体化したものであってもよい。
【００３０】
続いて、本考案の一実施の形態に係る携帯電話の画像表示装置１０を用いた画像表示方法（画像表示装置１０の使用方法）について、図１（Ａ）、（Ｂ）、図３（Ａ）、（Ｂ）を参照しながら説明する。
まず、図１（Ｂ）、図３（Ｂ）に示すように、筐体１５から装着板２４を引出す。
次に、この装着板２４上に携帯電話１１を載置した後、装着板２４を筐体１５内にスライドさせて押込み、図１（Ａ）、図３（Ａ）に示すように、携帯電話１１を筐体１５内に挿入する。
そして、位置決め雄ねじ３０を用いて、昇降板２３に装着板２４を固定する。
【００３１】
続いて、携帯電話１１に電源ケーブル３３を接続する。なお、携帯電話１１を無線により充電する場合は、電源ケーブル３３を使用する必要はない。
また、高さ調整機構２５を用いて、携帯電話１１の高さ調整を行う。この高さ調整は、例えば、携帯電話１１の機種の違いによる厚みの違い等に伴う、空中像表示手段１４に対する携帯電話１１のディスプレイ１３の位置調整のために行う。
これにより、空中像表示手段１４に対するディスプレイ１３の位置を安定させることができ、球体部１６の内側（即ち、空中像表示手段１４の一側）にある携帯電話１１の画像を、球体部１６の外側（即ち、空中像表示手段１４の他側）の空間に実像として表示できる。
【００３２】
以上、本考案を、実施の形態を参照して説明してきたが、本考案は何ら上記した実施の形態に記載の構成に限定されるものではなく、実用新案登録請求の範囲に記載されている事項の範囲内で考えられるその他の実施の形態や変形例も含むものである。例えば、前記したそれぞれの実施の形態や変形例の一部又は全部を組合せて本考案の携帯電話の画像表示装置を構成する場合も本考案の権利範囲に含まれる。
前記実施の形態においては、保持手段の下部に設けられた高さ調整機構により、携帯電話の高さ位置を調整した場合について説明したが、例えば、厚みが異なる複数のスペーサを予め準備し、このスペーサを介して携帯電話を保持手段上に配置することで、携帯電話の高さ位置を調整することもできる。
【００３３】
また、前記実施の形態においては、筐体を、球体部と、この球体部を載置する円錐台状の載置台部で構成した場合について説明したが、空中像表示手段と保持手段を所定の位置関係（即ち、携帯電話の画像を空中像表示手段を介して空中に結像させることができる位置関係）に保持できれば、特に限定されるものではない。
例えば、球体部の下部に、１本又は２本以上（複数本）の支持柱を取り付けることもできる。この支持柱は、球体部に取付け取外し可能な構成でもよく、また、取外し不可能な構成（一体化された構成）でもよい。この支持柱に伸縮機能や屈曲機能を設けてもよい。
また、筐体の形状を、楕円形状、卵型形状、立方体形状、直方体形状等にすることもでき、この場合、必要に応じて、これらを載置する載置台部を用いることができる。この筐体に形成する窓部（空中像表示手段）の形状は、例えば、円形、楕円形、卵型、多角形（正方形や長方形等）にできる。
【００３４】
なお、筐体は、別途準備したものではなく、携帯電話を装着可能な構成とした機器（装置）のケーシングであってもよい。
例えば、携帯電話を車のカーナビゲーションとして使用する場合、インストルメントパネル（インパネ）を筐体とすることもできる。この場合、インパネの前部に、携帯電話を水平方向に挿入又は取出しを行う開口部を設け、インパネの上部に、空中像表示手段を取付け固定する開口部（窓部）を設ける。このインパネ内（外部に突出してもよい）には、携帯電話を所定位置に保持する保持手段が設けられ、インパネの上部の開口部には、空中像表示手段が取付け固定され、空中像表示手段と保持手段を所定の位置関係に保持する。
これにより、インパネの上方に地図等を表示できる。
【００３５】
更に、携帯電話のディスプレイ（表示面）の上に、当接して又は僅少の隙間を設けて、画像を拡大するレンズを配置することもでき、これによって、空中像表示手段の他側に形成される空間像の拡大が可能となる。この場合のレンズは凸レンズでもよいし、レンチキラーレンズであってもよい。
また、携帯電話のディスプレイの上に、多数の赤外線発光手段と多数の赤外線センサーを点状に有するシートを配置し、シート状に配置された赤外線発光手段の画像を空中像表示手段の他側にディスプレイ画像と共に表示し、ディスプレイ画像に触れた指等からの反射赤外線をディスプレイ上に実像として結像し、シート状に配置された赤外線センサーでその実像の位置を読み取ることもできる。
【産業上の利用可能性】
【００３６】
本考案に係る携帯電話の画像表示装置は、簡単な構成で、携帯電話に表示された画像を空間に表示できる。これによって、携帯電話を、例えば、他人の覗き見を防止したパーソナルアミューズメント機器として使用できるため、携帯電話の利用用途を従来よりも広げることができる。
【符号の説明】
【００３７】
１０：携帯電話の画像表示装置、１１：携帯電話、１２：保持手段、１３：ディスプレイ（表示面）、１４：空中像表示手段、１５：筐体、１６：球体部、１７：載置台部、１８：凹部、１９：窓部、２０：開口部、２１：補助部材、２２：支持部、２３：昇降板、２４：装着板、２５：高さ調整機構、２６：雄ねじ部、２７：雌ねじ部、２８：凸部、２９：ガイド溝、３０：位置決め雄ねじ、３１：雌ねじ、３２：開口部、３３：電源ケーブル、４０、４１：光反射部、４２：第１の光制御パネル（第１の光制御部材）、４３：第２の光制御パネル（第２の光制御部材）、５０：光反射部、５１：第１の光制御パネル（第１の光制御部材）、５１ａ：第２の光制御パネル（第２の光制御部材）、５２：透明平板、５３：垂直面、５４：傾斜面、５５：溝、５６：凸条、５８：透明樹脂、５９：充填面、６０：表面
【図１】
0003221631.tif 000003
【図２】
0003221631.tif 000004
【図３】
0003221631.tif 000005
【図４】
0003221631.tif 000006
【図５】
0003221631.tif 000007